(57)【要約】      （修正有）【課題】上下の下地材同士を直接面当することなく連結固定が行え、地震等の揺れを受けても振動負荷をしっかりと受け止めて、直交する下地材同士の滑りや離間、ガタツキ、位置ズレを防止して耐震強度を向上することのできる下地材固定金具を提供する。【解決手段】上下に直交配設される下地材同士を、略コ字状の下部と上部の下地材固定部６１、６２に外嵌セットし、下面係合片と上面係合片６２２のそれぞれに、下地材の厚さ幅よりも広幅な延出面部６３ａ、６３ｃを形成し、該延出面部６３ａ、６３ｃに固定ボルト７３を挿通して締め付けすることにより、下地材に押圧圧着させて挟み込み固定する。【選択図】図４
2015190117.tif 000002
【特許請求の範囲】
【請求項１】
躯体天井部から垂下する複数の吊りボルト間に架設される複数の野縁受けや振れ止めなどの天井下地材に対して、その上面側又は下面側に直交させて配設される耐震用の補強下地材を連結固定するための下地材固定金具であって、
該下地材固定金具は、下側に配設される下部下地材に外嵌セット可能に形成された略コ字状の下部下地材固定部と、その上側に直交して配設される上部下地材に外嵌セット可能に形成された略コ字状の上部下地材固定部とを上下一対に備え、
前記下部下地材固定部と上部下地材固定部とは、下部下地材の下面部に係合される下面係合片と、上部下地材の上面部に係合される上面係合片とを有し、かつ、その中央部位に配設されて対面する下地材の上面部と下面部とにそれぞれ係合される中面係合片を有して一体に形成されると共に、
前記下面係合片と上面係合片の開口側に、それぞれセットされる下部下地材と上部下地材の厚さ幅よりも広幅となるよう延出せしめた延出面部を形成し、
前記下部下地材固定部と上部下地材固定部にそれぞれ外嵌セットされた状態の直交する下地材同士を、前記下面係合片と上面係合片の延出面部間に固定ボルトを挿通し、該固定ボルトを締め付けすることにより、前記中面係合片を介して下面係合片と上面係合片とをその延出面部と共にそれぞれ下地材に押圧させて挟み込み固定すべく構成したことを特徴とする下地材固定金具。
【請求項２】
請求項１において、前記固定ボルトは、下部下地材と上部下地材の振動による位置ズレを規制する耐震規制部材に兼用されると共に、前記下面係合片と上面係合片の延出面部は、下部下地材と上部下地材に近接挿通して配設可能な面域をもって形成されていることを特徴とする下地材固定金具。
【請求項３】
請求項１又は２において、前記中面係合片の開口側にも延出面部を形成し、前記固定ボルトは、該各延出面部の上面係合片と中面係合片の各延出面部にそれぞれ穿設せしめたボルト挿通孔に挿入され、かつ、下面係合片に設けられたナット部に螺合せしめて、その締め付け操作で挟み込み固定するよう構成されていることを特徴とする下地材固定金具。
【請求項４】
請求項１乃至３の何れかにおいて、前記下面係合片と上面係合片の延出面部には、それぞれの両側部に内方に向けて傾斜状に折曲されて、その先端によりセットされた下部下地材と上部下地材を係止して抜止め状態を保持する仮固定可能な抜止め係止片が形成され、該抜止め係止片を、下部下地材と上部下地材の振動による位置ズレを規制する耐震規制片に兼用せしめたことを特徴とする下地材固定金具。
【請求項５】
請求項４において、前記下部下地材と上部下地材は、それぞれ下部下地材固定部と上部下地材固定部に対し、前記中面係合片を含む延出面部を介してセットするにあたり、前記下面係合片と上面係合片を含む延出面部を、前記抜止め係止片の傾斜に抗して弾発状に拡開させて、押し込み圧入することで仮固定されることを特徴とする下地材固定金具。
【請求項６】
請求項１乃至５の何れかにおいて、前記下部下地材固定部と上部下地材固定部の側面係合片を、セットされた下部下地材と上部下地材の側面部に対してビス固定せしめたことを特徴とする下地材固定金具。
【発明の詳細な説明】
【技術分野】
【０００１】
本発明は、主に耐震性が求められる天井下地において、野縁受けや振れ止めなどの天井下地材に直交させて配設される耐震用の補強下地材を連結固定するための下地材固定金具に関する。
【背景技術】
【０００２】
一般に、在来天井は、所定の間隔を存して躯体天井部に垂下される複数の吊りボルトと、これら吊りボルト間の下端部に野縁受けハンガーを介して支持されるチャンネル状の野縁受け（天井下地材）と、上方に開口する両側面部の上端内方に逆Ｕ字状溝を有し、野縁取付金具を介して野縁受けに取り付けされる複数のチャンネル状の野縁（天井下地材）と、野縁にビス止めされる天井パネルとから構成される。
また、必要において、吊りボルトの間隔を維持して振れ止め規制するために、複数の吊りボルト間にチャンネル状の振れ止め（天井下地材）が架設されるが、さらに耐震性を向上させるために、吊りボルトに取り付けられた野縁受けや振れ止めなどの天井下地材に対して、その上面側又は下面側にチャンネル状の耐震用補強下地材を直交させて配設し、両者を下地材固定金具を介して連結固定することで施工される。
【０００３】
従来、これら耐震用の補強下地材を連結固定するために用いられる下地材固定金具は、野縁受けや振れ止め用の天井下地材に補強下地材を直接面当させた状態で固定される様になっており、特許文献１のものでは、下地材固定金具（チャンネルクロス金具５）を、野縁受け（チャンネル２ａ）の厚さ幅に適合して、その上面部側から被嵌されるよう下向きＵ字状に折曲形成し、野縁受けから対向垂下せしめた垂下面をコ字状に切欠き形成し、この切欠き部に補強下地材（チャンネル２ｂ）を外嵌させ、野縁受けの上面部側から止めネジ（７）で締め付け固定するように構成されたものが知られている（図５参照）。
また、特許文献２や３のもののように、野縁受け（５、３）の側面部に面当てされる直交方向に９０度折曲形成したＬ字状の板状固定片をビス固定するようにした下地材固定金具（連結金具１３、吊金具用補強金具１２）なるものが知られている（特許文献２の図５、特許文献３の図２参照）。
【０００４】
しかしながら、特許文献１に開示されたものでは、止めネジ（７）を螺入することで、止めネジ（７）の先端を野縁受けの上面部に締め付けすることで、野縁受けの下面部と補強下地材の上面部とを密着させて固定する構造となっているため、地震等の揺れを受けると、止めネジ（７）の先端に集中負荷が加わって野縁受けの上面部に変形を生じ、野縁受けと補強下地材の締め付け強度が弱まり、両者間にガタツキや位置ズレが生じてしまい、甚だしくは補強下地材が切欠き部から抜け落ちてしまうという危惧がある。
また、特許文献２や３に開示されたものでは、地震等の揺れを受けると、板状固定片の板面が折曲して金具自体が変形してしまうため、野縁受けと補強下地材との密着面が離間しガタツキを生じるだけでなく、ねじれを含む振動負荷を繰り返し受けると、両者間の離間・圧接が繰り返され、甚だしくは金具自体の破損を招来するという耐震強度上の欠点を有している。
したがって、これら従来のもののように、直交対面する下地材の上面部と下面部とを直接面当させ、上部下地材と下部下地材の上面部や側面部に対してネジ押さえし、又はネジ止めする構造のものでは、何れのものも、一方の下地材が水平方向に揺れを受けると、他方の下地材がその厚さ幅方向に傾動する揺れやねじれを受けるというような振動負荷によって、直交面当てされた下地材同士の密着面が離間し、両者間にガタツキ生じるという連結強度上の問題があり、連結固定された耐震用の補強下地材に対する所望の耐震性能を得ることができない。
【先行技術文献】
【特許文献】
【０００５】
【特許文献１】特開平１０−０６１０９０号公報
【特許文献２】特開２００２−０８８９６９号公報
【特許文献３】特開２００８−０５０７８４号公報
【発明の開示】
【発明が解決しようとする課題】
【０００６】
本発明は、上記の如き問題点を一掃すべく創案されたものであって、天井下地における野縁受けや振れ止めなどの天井下地材に直交させて配設される耐震用の補強下地材を連結取着するものでありながら、上下の下地材同士が直接面当される従来の固定構造によらず、略コ字状の下部下地材固定部と上部下地材固定部のそれぞれに外嵌セットされた下地材同士を、中面係合片を介した非接触状態で状態で状態で、延出面部を含む下面係合片と上面係合片とを、挿通された固定ボルトによって、それぞれ下地材に押圧させて確りと圧接挟持できるようにし、上部および下部の下地材を固定ボルトによって、それぞれの外周を包み込んでその組付け剛性強度を高め、強固に囲繞圧接した状態で連結固定することができ、地震等の揺れで水平方向やねじれ、傾斜方向の振動を受けた際に、固定ボルトを、振動による位置ズレを規制する耐震規制部材として機能させ、直交する下地材同士の滑りや離間、ガタツキ、位置ズレを防止した状態で、脱落の心配もなく連結固定強度を長期に亘って維持し耐震性能を向上させることのできる下地材固定金具を提供することを目的とする。
【課題を解決するための手段】
【０００７】
上記課題を解決するために本発明の下地材固定金具は、躯体天井部から垂下する複数の吊りボルト間に架設される複数の野縁受けや振れ止めなどの天井下地材に対して、その上面側又は下面側に直交させて配設される耐震用の補強下地材を連結固定するための下地材固定金具であって、該下地材固定金具は、下側に配設される下部下地材に外嵌セット可能に形成された略コ字状の下部下地材固定部と、その上側に直交して配設される上部下地材に外嵌セット可能に形成された略コ字状の上部下地材固定部とを上下一対に備え、前記下部下地材固定部と上部下地材固定部とは、下部下地材の下面部に係合される下面係合片と、上部下地材の上面部に係合される上面係合片とを有し、かつ、その中央部位に配設されて対面する下地材の上面部と下面部とにそれぞれ係合される中面係合片を有して一体に形成されると共に、前記下面係合片と上面係合片の開口側に、それぞれセットされる下部下地材と上部下地材の厚さ幅よりも広幅となるよう延出せしめた延出面部を形成し、前記下部下地材固定部と上部下地材固定部にそれぞれ外嵌セットされた状態の直交する下地材同士を、前記下面係合片と上面係合片の延出面部間に固定ボルトを挿通し、該固定ボルトを締め付けすることにより、前記中面係合片を介して下面係合片と上面係合片とをその延出面部と共にそれぞれ下地材に押圧させて挟み込み固定すべく構成したことを特徴とするものである。
【発明の効果】
【０００８】
本発明は、上記のように構成したことにより、天井下地における野縁受けや振れ止めなどの天井下地材に直交させて配設される耐震用の補強下地材を連結取着するものでありながら、上下の下地材同士が直接面当される従来の固定構造によらず、略コ字状の下部下地材固定部と上部下地材固定部のそれぞれに遊装させた組付けが行え、延出面部に挿通された固定ボルトによって、その緊締操作前には仮固定状態で直角度やレベル出しなどの組み付け調整を行うことができるだけでなく、固定ボルトを締め付け操作するだけで、セットされた下地材同士を、中面係合片を介した非接触状態で、延出面部を含む下面係合片と上面係合片とを、それぞれ下地材に押圧させて確りと挟み込んで圧接挟持でき、これら係合片の密着によって下地材の上面部、側面部、下面部の外周面部が補強され、組付け剛性強度が高められると共に、その開口側では直交する下地材のコーナー部位に配設された固定ボルトによって補強され、それぞれの下地材の四周を独立して包み込まれた囲繞圧接された挟持状態で強固に連結固定することができる。このため、地震等の揺れで水平方向やねじれ、傾斜方向の振動を受けた際に、固定ボルトは、締め付け機能だけでなく、振動による位置ズレを規制する耐震規制部材としても機能させることができ、振動負荷を、下部下地材固定部と上部下地材固定部と共にしっかりと受け止めて、直交する下地材同士の滑りや離間、ガタツキ、位置ズレなどを防止でき、脱落の心配もなく各面が密着された良好な状態を長期に亘って維持し、連結固定強度や耐震性能を飛躍的に向上させることができる。しかも、下部下地材固定部と上部下地材固定部は、直交配置される耐震用の補強下地材が、野縁受けや振れ止めなどの天井下地材に対して上下の何れかに配設されても、連結固定することができるだけでなく、天井下地施工における取付作業が容易に行え、作業工数が簡略化され、作業時間の短縮と、作業効率の向上を図ることができる。
【図面の簡単な説明】
【０００９】
【図１】本発明の実施形態に係る天井下地の概略側面図である。
【図２】本発明の実施形態に係る下地材固定金具であって、（Ａ）は正面図、（Ｂ）は側面図、（Ｃ）は背面図、（Ｄ）は平面図、（Ｅ）は底面図である。
【図３】本発明の実施形態に係る下地材固定金具を示す斜視図である。
【図４】下地材固定金具の野縁受けや振れ止めなどの天井下地材と補強下地材との取付け状態を示し、（Ａ）は補強下地材を直交配置させて仮固定する状態を示す正面図、（Ｂ）は補強下地材を直交配置させて連結固定した状態を示す正面図である。
【図５】下地材固定金具の野縁受けや振れ止めなどの天井下地材と補強下地材との取付け状態を示す斜視図である。
【発明を実施するための最良の形態】
【００１０】
以下、本発明の実施の形態を好適な実施の形態として例示する耐震用の補強下地材の下地材固定金具を図面に基づいて詳細に説明する。図１は、本発明の実施形態に係る天井下地の概略側面図である。この図に示す天井下地には、躯体天井部１から所定の間隔を存して垂下される複数の吊りボルト２と、複数の吊りボルト２間に野縁受けハンガー３１を介して吊りボルト２の下端部に支持される野縁受け３（天井下地材）と、振れ止め固定金具４１を介して水平状に架設される振れ止め４（天井下地材）と、野縁受け３と振れ止め４の上面側に直交させて配設される耐震用の補強下地材５（天井下地材）が含まれている。
【００１１】
野縁受けハンガー３１は、側面視略し字状に形成され、例えば、吊りボルト２の下端部に上下位置調整可能に連結され、野縁受け３は、野縁受けハンガー３１によって支持されると共に、吊りボルト２に対する野縁受けハンガー３１の位置変更によって、上下位置が調整される。
野縁受け３は、側方が開口する断面コ字状のチャンネル材からなり、天井部１に所定の間隔を存して並列状に割り付けされる。このとき、野縁受け３は、図示しない躯体壁部に当接しない短めの長さに予め加工され、その両端部が野縁受け固定金具を介して躯体壁部に固定される。
【００１２】
振れ止め固定金具４１は、中央の吊りボルト２への被嵌固定部と、その両側に振れ止め４への被嵌固定部を有して側面視略コ字状に形成されている。
振れ止め４は、側方が開口する断面コ字状のチャンネル材からなり、吊りボルト２の間隔を維持するために複数の吊りボルト２間に水平状に架設される梁タイプとなっている。そして、振れ止め固定金具４１を、吊りボルト２と振れ止め４とを同時に被嵌することで両者が組付け固定される。
【００１３】
本実施形態の耐震用の補強下地材５は、野縁受け３や振れ止め４などの天井下地材と略同一の板厚、形状、大きさからなる側方が開口する断面コ字状のチャンネル材であり、吊りボルト２に取り付けされた野縁受け３と振れ止め４などの天井下地材に対して、それぞれ何れか一方の上面側（又は下面側）となる吊りボルト２間に、任意の数だけ直交させて水平状に架設される梁タイプとなっている。そして、本発明の実施形態に係る下地材固定金具６を用いて、耐震用の補強下地材５が野縁受け３と振れ止め４などの天井下地材に直交させて連結固定されるようになっている。
【００１４】
図２の（Ａ）、（Ｂ）、（Ｃ）、（Ｄ）、（Ｅ）は、本発明の実施形態に係る固定金具の正面図、側面図、背面図、平面図、底面図であり、図３は、下地材固定金具の斜視図である。これらの図に示すように、下地材固定金具６は、板厚が１．６ｍｍの厚板材を用い、下側に配設される下部下地材となる野縁受け３や振れ止め４などの天井下地材に遊嵌状に外嵌セットされる略コ字状の下部下地材固定部６１と、その上側に直交して配設される上部下地材となる補強下地材５（天井下地材）に遊嵌状に外嵌セットされる略コ字状の上部下地材固定部６２とが、それぞれの開口側同士を９０度の対向角度をもって上下一対に配設され、同一形状の天井下地材（チャンネル材や角パイプ材等）がセットできるよう相似形状もって構成される。
【００１５】
下部下地材固定部６１と上部下地材固定部６２とは、その中央部位に配設されて、下部下地材となる野縁受け３や振れ止め４の上面部と、上部下地材となる補強下地材５の下面部とにそれぞれ係合される中面係合片６ａを有し、この中面係合片６ａからそれぞれ上下方向に９０度の対向角度をもって折曲形成され、下部下地材と上部下地材の側面部にそれぞれ係合される側面係合片６１１、６２１と、この側面係合片６１１、６２１からそれぞれ折曲形成され、下部下地材と上部下地材の下面部および上面部にそれぞれ係合される下面係合片６１２、上面係合片６２２とを有して、全体をブレス成型により一体に形成される。
【００１６】
さらに、下面係合片６１２と中面係合片６ａと上面係合片６２２には、それぞれの開口側に、セットされる下部下地材（野縁受け３や振れ止め４）と上部下地材（補強下地材５）の厚さ幅よりも広幅の面域となるよう延出せしめた延出面部６３ａ、６３ｂ、６３ｃが、図３に一点鎖線で示す面域（領域）幅をもって形成されている。そして外嵌セットされた状態の直交する下部と上部下地材同士のなすコーナー部位において、両者に均等に近接するようその直角度を二分する４５度の角度位置に、延出面部６３ｂ、６３ｃに穿設されたボルト挿通孔７１、７１と、延出面部６３ａにバーリングによるタップ穴加工されたナット部７２とがそれぞれ鉛直線状に配置されて設けられており、固定ボルト７３を延出面部６３ｃ側からボルト挿通孔７１、７１に挿通してナット部７２に螺入できるようになっている。また、ナット部７２とは、固定ボルト７３を螺合した際に、その軸芯が芯ズレで傾くなどの回転ブレを生じる程度の軸芯組付けがなされる螺合（歯合）公差をもってタップ穴加工されている。なお、ナット部７２をボルト挿通孔に形成して、ナット材で螺合するようにしても良い。また、側面係合片６１１、６２１には、セットされた下部下地材と上部下地材の側面部に対してビス固定するためのビス孔７５が穿設されている。
【００１７】
さらに、この延出面部６３ａと６３ｃには、それぞれ側面係合片６１１、６２１側にＬ字状の切り込みを入れて、その外方から内方に向けて傾斜状にカシメられて側面視へ字状となるよう切り起し折曲され、その先端部でセットされたチャンネル状の下部下地材と上部下地材の開口側板厚端部を係止して抜止め状態を保持する抜止め係止片７４がそれぞれの両側２カ所に形成されている。そのため下面係合片６２１および延出面部６３ａ、上面係合片６２２および延出面部６３ｃとは、中面係合片６ａおよび延出面部６３ｂよりも広幅に形成され、中面係合片６ａから折曲される側面係合片６１１、６２１は、各ビス孔７５、７５付近から末広がり状に形成される。
【００１８】
次に、本発明の実施態様に係る下地材固定金具６を、吊りボルト２に固定された野縁受け３や振れ止め４を下部下地材とし、耐震用の補強下地材５を上部下地材として直交配設させた場合の取付手順について、図４、図５に基づいて説明する。図４（Ａ）は、補強下地材を直交配置させて仮固定する状態を示す正面図、図４（Ｂ）は補強下地材を直交配置させて連結固定した状態を示す正面図、図５は下部下地材と上部下地材の取付け状態を示す斜視図である。これら図に示すように、先ず、下部下地材固定部６１を野縁受け３（振れ止め４）に対してその側面部側から外嵌セットする。このとき、野縁受け３の上面部と下面部に対して、それぞれ延出面部６３ｂを含む中面係合片６ａと延出面部６３ａの先端部間に係合させた状態から、内方に傾斜状に突出する抜止め係止片７４の弾発に抗して押し込む（又は叩き込む）と、図４（Ａ）に示すように下面係合片６１２を含む延出面部６３ａが抜止め係止片７４の傾斜に抗して弾発状に拡開されて押し込み圧入され、ワンタッチで仮組付け固定が行え、遊嵌状態で外嵌セットされる。この仮固定によるセット状態では、抜止め係止片７４が、野縁受け３を乗り越え、その先端部がチャンネル材板厚端部に係止され、遊嵌係合した状態で野縁受け３を抜止め保持される。
【００１９】
次いで、野縁受け３に仮固定された下地材固定金具６の上部下地材固定部６２に対して、耐震用の補強下地材５をその側面部側から外嵌セットする。このセット作業は、同様に補強下地材５の上面部と下面部を、それぞれ中面係合片６ａと延出面部６３ｃの先端部に係合させた状態から、内方に傾斜突出する抜止め係止片７４の弾発に抗して押し込む（又は叩き込む）と、補強下地材５が抜止め係止片７４を乗り越え、各抜止め係止片７４…の先端部がチャンネル材板厚端部に係止され、ワンタッチで仮組付けが行え、遊嵌係合した状態で補強下地材５を抜止め保持して仮固定する。
つまり、傾斜状の抜止め係止片７４は、押し込むみ操作をスムーズに行うための案内片としても機能するようになっている。
【００２０】
この様に、下地材固定金具６を介して、野縁受け３に対して補強下地材５を直交方向に外嵌セットした仮固定状態では、これら下地材の上面部と、中面係合片６ａ、上面係合片６２２との間に僅かな隙間Ｓ（１ｍｍ程度）を存して遊嵌状に係合されている。この仮固定状態で、固定ボルト７３を延出面部６３ｃ側からそのボルト挿通孔７１と延出面部６３ｂのボルト挿通孔７１に挿通してナット部７２に螺入すると、抜止め係止片７４を形成しない場合でも仮固定状態として直角度やレベル出し、位置決めなどの組み付け調整を行える。さらに固定ボルト７３を締め付け操作すると、延出面部６３ａ、６３ｃを含む下面係合片６２１と上面係合片６２２とが、それぞれ内方に押圧され、中面係合片６ａを介して、両下地材を非接触状態で挟み込んだ圧接挟持された状態で強固に連結固定される。その後、各ビス孔７５、７５を介して側面係合片６１１、６２１をビス固定する。
【００２１】
つまり、固定ボルト７３を徐々に螺入して締め付けていくと、延出面部６３ａ、６３ｃを含め下面係合片６２１と上面係合片６２２が下地材に面当て接触して圧接される。この状態で固定ボルト７３を更に締め付けていくと、抜止め係止片７４の切り込みの存在により幅狭になっており、かつ、固定ボルト７３とナット部７２とが回転ブレを生じる程度の公差をもって螺合されているので、延出面部６３ａも延出面部６３ｃと同様に、下地材に圧接した部分（図３の一点鎖線の部分）が支点となって、下面係合片６１２と上面係合片６２２よりも大きく圧接方向に押圧変形させることができ、各抜止め係止片７４…の先端が野縁受け３と補強下地材５のチャンネル板厚端部に近接又は当接係止された状態で、両下地材を同時に圧接挟持することができる。抜止め係止片７４…の近接と延出面部６３ａおよび延出面部６３ｃの圧接具合は、固定ボルト７３の緊緩操作により調整可能となっている。
したがって、地震等の揺れで水平方向やねじれ、傾斜方向の振動を受けた際に、固定ボルト７３は、締め付け機能だけでなく、振動による位置ズレを規制する耐震規制部材としても機能し、抜止め係止片７４…は、下部下地材と上部下地材の抜止めを規制して仮固定する機能に加え、振動による位置ズレを規制する耐震規制片としても機能することができる。
【００２２】
この本固定状態では、直交配置された野縁受け３と補強下地材５が、下部下地材固定部６１と上部下地材固定部６２によってそれぞれの上面部、側面部、下面部の外周面部が補強され独立した状態で三位一体となって組み付けられ、その組付け剛性の強度が高まり、その開口側では直交する下地材のコーナー部位に配設された固定ボルト７３によって補強され、それぞれの下地材の四周を独立して包み込んだ囲繞圧接状態で強固に連結固定することができ、振動によるズレや変形に対する耐震強度を飛躍的に向上させることができる。
なお、本実施例では、耐震用の補強下地材５を上部下地材として直交させて配設した場合を例示したが、下部下地材として配設させて下部下地材固定部６１に取着しても良いことは勿論、下地材固定金具６を天地逆さまにして下部下地材固定部６１を上側とし、上部下地材固定部６２を下側として上下の勝手違いのない態様で使用することもできる。この場合、ナット部７２は上側となるが、下側からの固定ボルト７３を固定した方が作業性が良い場合に好適に用いることができる。
【００２３】
叙述の如く構成された本発明の実施の形態において、いま、天井部１の下地施工において、耐震用の補強下地材５を下地材固定金具６を介して野縁受け３や振れ止め４に直交配設させて取り付けるのであるが、本発明にかかる下地材固定金具６は、下側に配設される下部下地材（野縁受け３や振れ止め４）に外嵌セット可能に形成された略コ字状の下部下地材固定部６１と、その上側に直交して配設される上部下地材（補強下地材５）に外嵌セット可能に形成された略コ字状の上部下地材固定部６２とを上下一対に備え、下部下地材固定部６１と上部下地材固定部６２とは、下部下地材の下面部に係合される下面係合片６１２と、上部下地材の上面部に係合される上面係合片６２２とを有し、かつ、その中央部位に配設されて対面する下地材の上面部と下面部とにそれぞれ係合される中面係合片６ａを有して一体に形成されると共に、下面係合片６１２と上面係合片６２２の開口側に、それぞれセットされる下部下地材と上部下地材の厚さ幅よりも広幅となるよう延出せしめた延出面部６３ａ、６３ｃを形成し、下部下地材固定部６１と上部下地材固定部６２にそれぞれ外嵌セットされた状態の直交する下地材同士を、下面係合片６１２と上面係合片６２２の延出面部６３ａ、６３ｃ間に固定ボルト７３を挿通し、該固定ボルト７３を締め付けすることにより、中面係合片６ａを介して下面係合片６１２と上面係合片６２２とをその延出面部６３ａ、６３ｃと共にそれぞれ下地材に押圧させて挟み込み固定すべく構成されている。
【００２４】
この様に構成すると、天井下地における野縁受け３や振れ止め４などの天井下地材に直交させて配設される耐震用の補強下地材５を連結取着するものでありながら、上下の下地材同士が直接面当される従来の固定構造によらず、略コ字状の下部下地材固定部６１と上部下地材固定部６２のそれぞれに遊装させた組付けが行え、延出面部６３ａ、６３ｃに挿通された固定ボルト７３によって、その緊締操作前には仮固定状態で外嵌セットすることが可能となり、直角度やレベル出し、位置決めなどの組み付け調整を行うことができるだけでなく、固定ボルト７３を締め付け操作するだけで、セットされた下地材同士を、中面係合片６ａを介した非接触状態で、延出面部６３ａ、６３ｃを、下面係合片６１２と上面係合片６２２よりも大きく圧接方向に押圧変形させることができ、それぞれ下地材に確りと挟み込んで圧接挟持でき、これら係合片６ａ、６１１、６１２と６ａ、６２１、６２２の密着によって、下地材の上面部、側面部、下面部の外周面部が補強され独立した状態で三位一体となって組み付けられ、その組付け剛性強度が高められると共に、その開口側では直交する下地材のコーナー部位に配設された固定ボルト７３によって補強され、それぞれの下地材の四周を独立して包み込まれた囲繞圧接された挟持状態で強固に連結固定することができる。
【００２５】
このため、地震等の揺れで水平方向やねじれ、傾斜方向の振動を受けた際に、固定ボルト７３は、締め付け機能だけでなく、振動による位置ズレを規制する耐震規制部材としても機能させることができ、振動負荷を、下部下地材固定部６１と上部下地材固定部６２と共にしっかりと受け止めて、直交する下地材同士の滑りや離間、ガタツキ、位置ズレなどを総合的に防止することができる。その結果、中面係合片６ａと共に、各係合片６１１と６１２、６２１と６２２が野縁受け３や補強下地材５に密着した良好な状態を保持することができるようになり、下地材固定金具６による保持機能をより強固なものとし得て、脱落の心配もなく連結固定強度を長期に亘って維持し、耐震強度や耐震性能を飛躍的に向上させることができる。しかも、下部下地材固定部６１と上部下地材固定部６２は、直交配置される耐震用の補強下地材５が、野縁受け３や振れ止め４などの天井下地材に対して上下の何れかに配設されても、連結固定することができるだけでなく、天井下地施工における取付作業が容易に行え、作業工数が簡略化され、作業時間の短縮と、作業効率の向上を図ることができる。
【００２６】
また、固定ボルト７３は、下部下地材（野縁受け３や振れ止め４）と上部下地材（補強下地材５）の振動による位置ズレを規制する耐震規制部材に兼用されると共に、下面係合片６１２と上面係合片６２２の延出面部６３ａ、６３ｃは、下部下地材と上部下地材に近接挿通して配設可能な面域（図３に一点鎖線で示す面域幅）をもって形成され、中面係合片６ａの開口側にも延出面部６３ｂを形成し、固定ボルト７３は、該各延出面部６３ａ、６３ｂ、６３ｃの上面係合片６２２と中面係合片６ａの各延出面部６３ｂ、６３ｃにそれぞれ穿設せしめたボルト挿通孔７１、７１に挿入され、かつ、下面係合片６１２に設けられたナット部７２に螺合せしめて、その締め付け操作で挟み込み固定するよう構成されている。
【００２７】
この様に構成すると、固定ボルト７３を両者に均等に近接するようその直角度を二分する４５度の角度位置に配設することができるので、地震等により、直角度を狭角・広角する方向のねじれや、傾斜方向の振動を受けた際に、固定ボルト７３がその振動負荷を、各延出面部６３ａ、６３ｂ、６３ｃを含む下部下地材固定部６１と上部下地材固定部６２と共にしっかりと受け止めて、直交する下地材同士の滑りや離間、ガタツキ、位置ズレなどが規制され、これらの発生や変形が防止されて耐震強度を向上することができ、下部下地材固定部６１と上部下地材固定部６２に確りと挟み込んで圧接挟持された密着重合状態を維持することができるだけでなく、延出面部６３ｂにも固定ボルト７３を挿通する、（ボルト挿通孔７１に挿通する）ことによって、固定ボルト７３の湾曲が防止される。
【００２８】
また、下面係合片６１２と上面係合片６２２の延出面部６３ａ、６３ｃには、それぞれの両側部に内方に向けて傾斜状に折曲されて、その先端によりセットされた下部下地材と上部下地材を係止して抜止め状態を保持する仮固定可能な抜止め係止片７４…が形成され、該抜止め係止片７４…を、下部下地材と上部下地材の振動による位置ズレを規制する耐震規制片に兼用するよう構成させている。
つまり、抜止め係止片７４…は、下地材を、中面係合片６ａを含む延出面部６３ｂと延出面部６３ａ又は６３ｃとの間で、それぞれの開口側先端部に係合させた状態から、抜止め係止片７４の傾斜に抗して弾発状に拡開されて押し込み圧入され、その傾斜面が押し込み操作をスムーズに行うための案内片として機能し、下部下地材固定部６１と上部下地材固定部６２に対してワンタッチ挿着による仮固定が行え、抜止めがなされた遊嵌状態で外嵌セットすることができ、作業効率を向上させることができる。しかも、抜止め係止片７４…は、固定ボルト７３による締め付け操作で、延出面部６３ａと延出面部６３ｃの挟み込み方向に押圧されて、その先端が野縁受け３と補強下地材５のチャンネル板厚端部に近接又は当接係止された状態とすることができ、固定ボルト７３の締め付けすぎを回避する適正な締め付け操作が行えると共に、地震等により、直角度を狭角・広角する方向のねじれや、傾斜方向の振動を受けた際に、固定ボルト７３と共同して直交する下地材同士の滑りや離間、ガタツキ、位置ズレが規制され、これらの発生や変形が防止されて耐震強度を向上することができ、密着重合状態を維持して更なる耐震強度の向上を図ることができる。
【符号の説明】
【００２９】
１      天井部
２      吊りボルト
３      野縁受け
３１    野縁受けハンガー
４      振れ止め
４１    振れ止め固定金具
５      補強下地材
６      下地材固定金具
６１    下部下地材固定部
６１１  側面係合片
６１２  下面係合片
６２    上部下地材固定部
６２１  側面係合片
６２２  上面係合片
６ａ    中面係合片
６３ａ  延出面部
６３ｂ  延出面部
６３ｃ  延出面部
７１    ボルト挿通孔
７２    ナット部
７３    固定ボルト
７４    抜止め係止片
７５    ビス孔
Ｓ      隙間
【図１】
2015190117.tif 000003
【図２】
2015190117.tif 000004
【図３】
2015190117.tif 000005
【図４】
2015190117.tif 000006
【図５】
2015190117.tif 000007